(57)【要約】【課題】  従来のマイクロホンを大掛りに改造することなく周波数領域の低域から高域までの広帯域においてほぼ一定の感度を保つことができるマイクロホンヘッドを提供する。【解決手段】  マイクロホンヘッド１は、音源に向かった方を前方として、通気性がよいカバー２が被せられ、音源に向かった正面方向から入ってくる音波の音圧によって振動する振動膜３、前記振動膜の後方に位置する磁気手段６、及び前記磁気手段６に巻き付けられると共にその先端部を前記振動膜３と連結させ、前記磁気手段６によって収音時電気信号が誘起されるボイスコイル４を内装したキャップ体８と、前記キャップ体８に一体に連結された音室体１２と、前記音圧の所定の周波数領域の出力成分を減衰させるための、前記ボイスコイル４に電気的に接続され前記音室体１２内に設けられたフィルター１１とからなる。【選択図】図１
0003110150.tif 000002
【実用新案登録請求の範囲】
【請求項１】
音源に向かった方を前方として、通気性がよいカバーが被せられ、音源に向かった正面方向から入ってくる音波の音圧によって振動する振動膜、前記振動膜の後方に位置する磁気手段、及び前記磁気手段に巻き付けられると共にその先端部を前記振動膜と連結させ、前記磁気手段によって収音時電気信号が誘起されるボイスコイルを内装したキャップ体と、
前記キャップ体に一体に連結された音室体と、
前記音圧の所定の周波数領域の出力成分を減衰させるための、前記ボイスコイルに電気的に接続され前記音室体内に設けられたフィルターとからなることを特徴とするマイクロホンヘッド。
【請求項２】
回路基板に抵抗器、インダクタンスおよびコンデンサを実装して前記フィルターとすることを特徴とする請求項１に記載のマイクロホンヘッド。
【請求項３】
前記音室体は、その先端開口に前記キャップ体を受け入れた接合部と、該接合部から続いて後方へ延出し前記キャップ体が嵌装される円筒部とを有し、
該音室体の前記接合部内の直径上に向かい合って前記フィルターを定位させるための定位部材が配置されたことを特徴とする請求項１に記載のマイクロホンヘッド。
【考案の詳細な説明】
【技術分野】
【０００１】
本考案は、マイクロホンヘッドに関する。
【背景技術】
【０００２】
従来から、例えば出力の低域から高域までの広い周波数範囲でほぼ一定の感度に保つほど、よいマイクロホンが得られることが知られている。しかしながら、例えばダイナミックマイクロホンでは、図４の太線Ｌ１周波数特性に示すように、特に２Ｋ〜２０ＫＨｚの周波数範囲において、２Ｋ以下の領域と比べて約８ｄＢにも及ぶ感度上昇が見られるため、収音の質はあまりよいと言えない。
【考案の開示】
【考案が解決しようとする課題】
【０００３】
上記課題に鑑み、本考案は、従来のマイクロホンを大掛りに改造することなく周波数領域の低域から高域までの広帯域においてほぼ一定の感度を保つことができるマイクロホンヘッドを提供することを目的とする。
【課題を解決するための手段】
【０００４】
上記目的を達成するために、本考案は、音源に向かった方を前方として、通気性がよいカバーが被せられ、音源に向かった正面方向から入ってくる音波の音圧によって振動する振動膜、前記振動膜の後方に位置する磁気手段、及び前記磁気手段に巻き付けられると共にその先端部を前記振動膜と連結させ、前記磁気手段によって収音時電気信号が誘起されるボイスコイルを内装したキャップ体と、前記キャップ体に一体に連結された音室体と、前記音圧の所定の周波数領域の出力成分を減衰させるための、前記ボイスコイルに電気的に接続され前記音室体内に設けられたフィルターとからなるマイクロホンヘッドを提供しようとする。
【０００５】
また、本考案のマイクロホンヘッドにおいて、所定の周波数領域好ましくは、２Ｋ〜２０ＫＨｚの周波数領域の出力成分を減衰させる手段としての前記フィルターは、回路基板に抵抗器、インダクタンスおよびコンデンサが実装されてなることを特徴とする。
【０００６】
また、本考案のマイクロホンヘッドにおいては、前記音室体の先端内周壁に、前記フィルターを定位させるための定位部が配置されることが好ましい。
【考案の効果】
【０００７】
上記のマイクロホンヘッドにおいて、所定の周波数領域の出力成分を減衰させるフィルターが設けられているので、従来のマイクロホンを大掛りに改造することなく周波数領域の低域から高域までの広帯域においてほぼ一定の感度を保つことができる。
【考案を実施するための最良の形態】
【０００８】
以下、本考案を実施形態に基づいて具体的に説明するが、本考案はこの例のみに限定されない。図１と図２は、本考案の実施形態にかかるマイクロホンヘッドを示す分解斜視図及び同組立後の縦断面図である。図示のマイクロホンヘッド１は、音源に向かった方を前方として、ほぼキャップ体８と、音室体１２とを所定位置に組み立ててなる。
【０００９】
キャップ体８は、カバー２が被せられている。カバー２は、前方に面して、入射音を導入することができる通気性を有するよう複数の通気孔を設けた前壁２１と該前壁２１の周縁から前方へ延出する突縁２２とにより画成された凹部に、スポンジ２０を嵌着している。また、このキャップ体８は、ワッシャー５、磁気手段としての磁石６、ヨーク７が、ワッシャー５と磁石６はややカップ状のヨーク７の内部に、組付けられ、ボイスコイル４が、ヨークの周壁部内におけるワッシャー５、磁石６の回りに設けられ、また、振動膜３は、前記カバー２の前壁２１とやや間をあけて対面するようにボイスコイル４内周縁に突っ張り状態に嵌っている。そして、カバー２の外周面部とキャップ体８の先端外周面部に渡って可撓性調音シート１０１が巻き付けられ、キャップ体８の後端面に調音板１０が貼付けられてある。
【００１０】
キャップ体８の後端には、外周面を切欠いた凹部が設けられ、端子取付板９が配設されている。
【００１１】
音室体１２は、その先端開口１２４にキャップ体８を受け入れ締付ける先細のじょうご形に形成された接合部１２３と、該接合部１２３から続いて後方へ延出し、上下の緩衝リング１３，１５を介して環状リング１４に嵌装される円筒部１２２とを有してなる。音室体１２の先端開口１２４側の接合部１２３内の直径上に向かい合って定位座１２５，１２５を設け、定位座１２５，１２５によりフィルター１１を実装してある回路板１１１を固定させることができる。そして、音室体１２の後端側に端子板１６が装着され、リード線１７，１７を引出す３Ｐ接点１８が設けられ、該端子板１６のほぼ中央部位に孔１６ａを穿設し、リード線１７，１７を通す。
【００１２】
フィルター１１は、図３に示すように、所定の周波数領域の出力成分を減衰させるべく回路板１１１に抵抗器１１２、インダクタンス１１３、コンデンサ１１４などを実装してなり、リード線１７，１７によりボイスコイル４及び３Ｐ接点１８に電気的に接続されている。この例においては、フィルター１１は特に周波数領域の高域成分を減衰させるために設けられる。
【００１３】
図４に、本考案によるマイクロホンヘッドの周波数特性（細線Ｌ２）即ち、高域成分除去フィルタ回路を付加したマイクロホンヘッドの周波数特性を示す。なお、図中太線Ｌ１は、比較のための出力成分除去対策を施していない従来のマイクロホンの周波数特性を示す。
【００１４】
この測定例によれば、従来のマイクロホンは周波数２Ｋ〜２０ＫＨｚの高域において感度上昇が見られるのに対し、本考案によれば、同域の出力成分を約６〜８ｄＢ減衰させることによって低域から高域まで約−７５ｄＢの平坦な特性を実現し得ることが分かる。従って、本考案のマイクロホンヘッドによれば、高域の周波数応答を平坦にすることができる。
【産業上の利用可能性】
【００１５】
本考案によれば、従来のマイクロホンを大掛りに改造することなく周波数領域の低域から高域までの広帯域においてほぼ一定の感度を保つことができるマイクロホンヘッドを提供することが可能である。
【図面の簡単な説明】
【００１６】
【図１】本考案の実施形態にかかるマイクロホンヘッドを示す分解斜視図。
【図２】同組立後の縦断面図。
【図３】同実施形態の要部の等価回路図。
【図４】従来例と同実施形態の実測した周波数特性グラフ。
【符号の説明】
【００１７】
１．．．マイクロホンヘッド
１０．．．調音板
１０１．．．調音シート
１１．．．フィルター
１１１．．．回路板
１１２．．．抵抗器
１１３．．．インダクタンス
１１４．．．コンデンサ
１２．．．音室体
１２２．．．円筒部
１２３．．．接合部
１２４．．．先端開口
１２５．．．定位座
１３，１５．．．緩衝リング
１４．．．環状リング
１６．．．端子板
１６ａ．．．孔
１７．．．リード線
１８．．．３Ｐ接点
２．．．カバー
２０．．．スポンジ
２１．．．前壁
２２．．．突縁
３．．．振動膜
４．．．ボイスコイル
５．．．ワッシャー
６．．．磁石（磁気手段）
７．．．ヨーク
８．．．キャップ体
９．．．端子取付板
【図１】
0003110150.tif 000003
【図２】
0003110150.tif 000004
【図３】
0003110150.tif 000005
【図４】
0003110150.tif 000006